(57)【特許請求の範囲】
【請求項１】
軸線方向に延びる経糸と軸線に直交する方向に延びる緯糸とにより織成された筒状の織物布地を、旋回方向が逆向きとなるように互いに連続した螺旋に沿って螺旋状に裁断することにより形成されたバイアス布地。
【請求項２】
軸線方向に延びる経糸と軸線に直交する方向に延びる緯糸とにより織成された筒状の織物布地を、４５度のつる巻き角を有する螺旋に沿って螺旋状に裁断することによりバイアス布地を形成し、そのバイアス布地の幅方向の端縁同士を折り返して縫着して偏平に折畳み、そのバイアス布地の長手方向の略半分の部分を長手方向に引張って縦方向に伸長させることにより、その形状を一端側から他端側にいくにつれて次第に幅広に形成したバイアス布地。
【発明の詳細な説明】
【０００１】
【発明の属する技術分野】
本発明は、布地、特に織り目が斜めに通っているバイアス布地に関する。
【０００２】
【従来の技術】
バイアス布地は、布地の縦方向に対して傾斜して延びる斜行経糸と横方向に対して傾斜して延びる斜行緯糸とにより形成されており、経糸や緯糸が斜行しているためにある程度の伸縮性を備えている。このようなバイアス布地は、帯地、ハンドバッグや財布などの身廻り品の表地や裏地、ネクタイ生地などに多用されている。この種のバイアス布地は、斜め織り用の織機を用いることによって織成することができるが、斜め織り用の織機は取扱いに熟練を必要とし、しかも織機自体が高価であるため、そのような斜め織り用の織機を用いて織成したバイアス布地は価格が高くなるという問題があった。
【０００３】
他方、軸線方向に延びる経糸とその軸線に直交する方向に延びる緯糸とで上下織物布地を連続して織成することによって筒状の織物布地を織成することは従来から行われていることであり、また、筒織り用織機を用いて当初より筒状形状に織成した筒状の織物布地も存在する。これらの筒状の織物布地は、上記した斜め織り用の織機を用いてバイアス布地を製作するのに比べ、製作容易で価格も安いものである。
【０００４】
【発明が解決しようとする課題】
そこで、本願発明者は、上記筒状の織物布地に着目し、その筒状に織られた織物布地を出発素材に用いてバイアス布地を形成できるならば、価格の安いバイアス布地を提供することができるであろうと考え、本発明をなすに至った。
【０００５】
すなわち、本発明は、筒状の織物布地を用いて形成されるバイアス布地を提供することを目的とする。また、本発明は、安価なバイアス布地を提供することを目的とする。
【０００６】
【課題を解決するための手段】
請求項１に係る発明のバイアス布地は、軸線方向に延びる経糸と軸線に直交する方向に延びる緯糸とにより織成された筒状の織物布地を、旋回方向が逆向きとなるように互いに連続した螺旋に沿って螺旋状に裁断することにより形成されたものである。
【０００７】
このバイアス布地は、筒状の織物布地を形成している経糸が斜行経糸となって現れ、緯糸が斜行緯糸となって現れるので、その布地に斜行経糸や斜行緯糸の特性による伸縮性が付与される。
【０００８】
また、このバイアス布地の斜行経糸や斜行緯糸の斜行角は、上記筒状の織物布地を螺旋状に裁断するときのつる巻き角を増減調節することによって変わるので、その斜行経糸や斜行緯糸の斜行角の如何によって変化する縦方向の伸縮性と横方向の伸縮性との比率を容易に変化させることができるようになる。たとえば、螺旋のつる巻き角が４５度であれば、斜行経糸や斜行緯糸の斜行角がいずれも４５度になるので、縦方向の伸縮性と横方向の伸縮性とが同一になる。また、螺旋のつる巻き角が４５度以外の角度であれば、斜行経糸の斜行角と斜行緯糸の斜行角とが互いに相違するので、縦方向の伸縮性と横方向の伸縮性とも相違したものになる。
【０００９】
さらに、一方の旋回方向を向く螺旋に沿って螺旋状に裁断されることにより得られた部分と、他方の旋回方向を向く螺旋に沿って螺旋状に裁断されることにより得られた部分とが連続してしかもその両部分が互いに反対向きに傾斜したものになる。このような形状のバイアス布地は、弓なりに曲がった形状のショールなどを作る生地として役立つ。
【００１０】
請求項２に係る発明のバイアス布地は、軸線方向に延びる経糸と軸線に直交する方向に延びる緯糸とにより織成された筒状の織物布地を、４５度のつる巻き角を有する螺旋に沿って螺旋状に裁断することによりバイアス布地を形成し、そのバイアス布地の幅方向の端縁同士を折り返して縫着して偏平に折畳み、そのバイアス布地の長手方向の略半分の部分を長手方向に引張って縦方向に伸長させることにより、その形状を一端側から他端側にいくにつれて次第に幅広に形成したものである。
【００１１】
この発明のバイアス布地は、ネクタイの形に類似するので、そのバイアス布地をネクタイ生地として活用することができる。
【００１２】
【発明の実施の形態】
図１は本発明に係るバイアス布地の出発素材となる筒状の織物布地Ｂの概略斜視図、図２はバイアス布地Ａの平面図、図３はバイアス布地Ａの他の利用例を示す説明図、図４は図３のＶ−Ｖ線に沿う部分を拡大断面で示した説明図である。
【００１３】
図２に示したバイアス布地Ａは、図１に示した筒状の織物布地Ｂ、すなわち軸線方向のどの箇所においても直径が同じ寸法になっている筒状の織物布地Ｂを、図１に表した螺旋６に沿って螺旋状に裁断することにより形成されている。筒状の織物布地Ｂは、軸線方向に延びる経糸７と軸線に直交する方向に延びる緯糸８とにより織成されている。このような筒状の織物布地Ｂは、上述したように軸線方向に延びる経糸とその軸線に直交する方向に延びる緯糸とで上下織物布地を連続して織成することにより、また筒織り用織機を用いて当初より筒状形状に織成した筒状の織物布地を容易に製作することができ、しかも、その長さに制約がない。したがって、筒状の織物布地Ｂを螺旋状に裁断することにより得られるバイアス布地Ａについてもその長さに制約がない。
【００１４】
筒状の織物布地Ｂを螺旋状に裁断するときの裁断線である上記螺旋６のつる巻き角（緯糸と螺旋６とのなす角度がつる巻き角に相当する）αを大きくすると、一定の軸長を有する１つの筒状の織物布地Ｂから得られるバイアス布地Ａの長さは短くなるけれども、バイアス布地Ａの幅寸法Ｗ（図２参照）が長くなり、その逆に、上記つる巻き角αを小さくすると、バイアス布地Ａの幅寸法Ｗが短くなるけれども、一定の軸長を有する１つの筒状の織物布地Ｂから得られるバイアス布地Ａの長さは長くなる。
【００１５】
図２のように、バイアス布地Ａは、斜行経糸１と斜行緯糸２とによって織り目の形成された布地であり、同図には、布地の縦方向に対して傾斜して延びる斜行経糸１の斜行角をθ１、布地の横方向に対して傾斜して延びる斜行緯糸２の斜行角をθ２で表してある。
【００１６】
このバイアス布地Ａにおいては、斜行経糸１が筒状の織物布地Ｂの経糸７によって形成され、斜行緯糸２が上記筒状の織物布地Ｂの緯糸によって形成されている。斜行経糸１の斜行角θ１や斜行緯糸２の斜行角θ２の大きさは、上記螺旋６のつる巻き角αの大きさと関係している。すなわち、螺旋６のつる巻き角αが４５度であれば、斜行経糸１および斜行緯糸２のいずれの斜行角θ１，θ２も共に４５度になる。したがって、この場合には、バイアス布地Ａの縦方向（長手方向）の伸縮性と横方向（幅方向）の伸縮性とが同一になる。また、螺旋６のつる巻き角αを４５度よりも大きな角度にしたり、その逆に、螺旋６のつる巻き角αを４５度よりも小さな角度にしたりすると、斜行経糸１および斜行緯糸２のいずれの斜行角θ１，θ２も４５度以外の角度になるので、バイアス布地Ａの縦方向の伸縮性と横方向の伸縮性との比率が変化するようになる。そして、縦方向の伸縮性と横方向の伸縮性とが同一のバイアス布地や、それらが異なるバイアス布地は、その縦方向および横方向の伸縮性の良否を活用することによって、帯地、ハンドバックや財布などの表地や裏地、ネクタイ生地などに好適に用いることができる。
【００１７】
図３および図４に示した利用例は、斜行経糸１と斜行緯糸２とのそれぞれの斜行角θ１，θ２がいずれも４５度である細長矩形のバイアス布地の幅方向の端縁同士を折り返してそれらを図５のように縫着して偏平に折畳み、このバイアス布地の長手方向の略半分の部分を長手方向に引張って縦方向に伸長させることにより、その形状を、図３のように一端側から他端側にいくにつれて次第に幅広に形成したものである。このようにバイアス布地を長手方向に引張ると、図３のように伸長幅の大きな一端側部分の斜行角θ３，θ４が伸長幅の小さな他端側部分の斜行角θ５，θ６よりも小さくなる。図４で説明した形のバイアス布地Ａは、ネクタイの形に類似するので、そのバイアス布地Ａをネクタイ生地として活用することができる。
【００１８】
図５は本発明に係る別のバイアス布地の出発素材となる筒状の織物布地Ｂの概略斜視図、図６は本発明のさらに他の実施形態であるバイアス布地Ａの平面図である。
【００１９】
図６のバイアス布地Ａは、図５の織物布地Ｂを旋回方向が逆向きとなるように互いに連続した螺旋６ａ，６ｂに沿って螺旋状に裁断することにより形成することができる。図５では互いに連続する２つの螺旋６ａ，６ｂを示してあるけれども、図６のバイアス布地Ａは、順に連続する４つの螺旋であって隣接するもの同士の旋回方向が反対向きになっている螺旋に沿って上記織物布地Ｂを螺旋状に裁断することによって得られる。
【００２０】
図６を見ると判るように、このバイアス布地Ａは、一方の旋回方向を向く螺旋に沿って螺旋状に裁断されることにより得られた部分と、他方の旋回方向を向く螺旋に沿って螺旋状に裁断されることにより得られた部分とが連続してしかもその両部分が互いに反対向きに傾斜したものになる。このような形状のバイアス布地は、弓なりに曲がった形状のショールなどを作る生地として有益である。
【００２１】
以上の各実施形態では、バイアス布地Ａの出発素材としての織物布地Ｂを、図１で説明したような円筒状にしてある。
【００２２】
さらに、上記した各実施形態のバイアス布地Ａは、その出発素材である筒状の織物布地Ｂの経糸７や緯糸８に色糸などを用いて柄模様付きのバイアス布地Ａとすることも可能である。また、バイアス布地Ａを事後的に染色することも自由に行える。その他、上記バイアス布地Ａは、冒頭で説明した斜め織り用の織機を用いて織成したバイアス布地とまったく同様に取り扱うことができる。
【００２３】
【発明の効果】
本発明によれば、その出発素材に安価な筒状の織物布地を用いることができるので、バイアス布地を安価に提供できるようになる。また、本発明によれば、使用目的に適した形状のバイアス布地を、織物布地の裁断後に直ちに得られるという利点がある。
【図面の簡単な説明】
【図１】本発明に係るバイアス布地の出発素材となる筒状の織物布地の概略斜視図である。
【図２】本発明の実施の一形態であるバイアス布地の平面図である。
【図３】バイアス布地の利用例を示す説明図である。
【図４】図３のＶ−Ｖ線に沿う部分を拡大断面で示した説明図である。
【図５】本発明に係る別のバイアス布地の出発素材となる筒状の織物布地の概略斜視図である。
【図６】本発明のさらに他の実施形態であるバイアス布地Ａの平面図である。
【符号の説明】
Ａ  バイアス布地
Ｂ  織物布地
α  つる巻き角
６，６ａ，６ｂ  螺旋
７  経糸
８  緯糸
【図１】
0003543099.tif 000002
【図２】
0003543099.tif 000003
【図３】
0003543099.tif 000004
【図４】
0003543099.tif 000005
【図５】
0003543099.tif 000006
【図６】
0003543099.tif 000007